(57)【要約】【課題】センターコアに固着保持された磁気ディスクメディアを回転可能に備えた磁気ディスクカートリッジにおいて、保管時に磁気ディスクメディアと除塵用ライナとが接触するのを防止する。【解決手段】円盤状の磁気ディスクメディア４の中心部分に固着されたセンターコア１３に大径部と小径部とを設け、大径部の外径ｂをケースＣの開口部２ｃの内径ｃよりも大きく、かつ大径部の厚みをライナ５の厚みよりも大きく設定する。【選択図】　　　　　図１
2004110928.tif 000002
【特許請求の範囲】
【請求項１】
センターコアに固着保持されたディスクメディアを回転可能に収容し、前記センターコアを外部に臨ませるための開口部を有するケースの内面に固定された除塵用ライナを備えてなるディスクカートリッジにおいて、
前記センターコアの大径部の外径が前記開口部の内径よりも大きく、かつ前記大径部の厚みが前記ライナの厚みよりも大きく設定されていることを特徴とするディスクカートリッジ。
【発明の詳細な説明】
【０００１】
【発明の属する技術分野】
本発明は、ケース内にディスクメディアを回転可能に収容し、情報の記録再生に利用するカートリッジに関するものである。
【０００２】
【従来の技術】
従来、フレキシブルなポリエステルシート等からなる円盤状の支持体の両面に磁性体層が形成された可撓性磁気ディスクメディアを、例えば上下シェルハーフを接合し、磁気ヘッド挿入用の窓部を有するケース内に回転自在に収容してなる磁気ディスクカートリッジが提供されている。
【０００３】
この種の磁気ディスクカートリッジは、その取扱いの容易性、低コストといった利点から、主としてコンピュータ用の記録媒体として用いられている。この様な磁気ディスクカートリッジにおいては、ドライブ装置のスピンドルが挿入されるスピンドル孔と、一方の面を磁気ディスクメディアの貼付面とするフランジとを同心的に備えたセンターコアが磁気ディスクメディアの中心位置に固定されている。この種のセンターコアは例えば特許文献１に記載されている。
【０００４】
一方、デジタルスチルカメラ、デジタルビデオカメラ、ノートパソコン等の電子機器のカードスロットには、種々の記録媒体が挿抜可能に装填され、記録再生するようになっている。この記録媒体としては、半導体メモリタイプのもの、ハードディスクタイプのもの、光ディスク型のもの、フロッピー（登録商標）ディスクのような磁気ディスクなど、各種のものが実用に供されているが、近年ではフロッピー（登録商標）ディスクよりもさらに小型で大容量の磁気ディスクカートリッジがパソコンやデジタルカメラなどに装填可能なメディアとして提案されている。この様な高記録密度磁気記録媒体としては、蒸着法により金属薄膜を施したもの、あるいはバリウムフェライト粉末を用いたものなどを採用することが可能であり、特にバリウムフェライト粉末を用いたものの一例が本出願人により提案されている（特願２００１−３１２８６４）。
【０００５】
従来の磁気ディスクカートリッジの一例構成を図３の分解斜視図および図４のカートリッジ保管時の状態を示す概略的断面図を用いて説明する。なお、図４においては、理解を容易にするために、部材の寸法比を変更して示してある。
【０００６】
この磁気ディスクカートリッジは、矩形状の上下シェルハーフ１，２を接合して形成された扁平なケースＣ内に円盤状の磁気ディスクメディア４を備え、上下シェルハーフ１，２の磁気ディスクメディア４との対向面にはそれぞれ除塵用ライナ５が設けられている。
【０００７】
上下シェルハーフ１，２の外周には側壁を形成する外周リブ１ａ，２ａが設けられ、四隅部には内側リブ１ｂ，２ｂが斜めに設けられている。また、上下シェルハーフ１，２の一部には、長方形の磁気ヘッドアクセス用窓１０，１１が形成されている。
【０００８】
磁気ディスクメディア４には、外周部と内周部の非記録領域４ｂ，４ｂを除いて記録領域４ａが円環状に設定され、磁気ディスクメディア４はその中央部に固着されたセンターコア３によって保持されている。センターコア３の上面には、上面外周に環状部６ａを備えた抑えプレート６が固着されて、磁気ディスクメディア４を抑えている。
【０００９】
センターコア３は、例えばＳＵＳを材料として、板金プレス或いは切削加工して形成されたものである。このセンターコア３は、磁気ディスクカートリッジがドライブ装置に装填された際に、ドライブ装置のドライブスピンドルと係合し、これによって磁気ディスクメディア４が矢印Ｄ方向に回転駆動される。
【００１０】
下シェルハーフ２の中央部分には、センターコア３を外部に臨ませて、この磁気ディスクカートリッジがドライブ装置に装填された際にドライブ装置のドライブスピンドルと係合させるための円形の開口部２ｃが設けられている。また、上シェルハーフ１の内面の中心部には、環状部６ａよりも内側に位置する環状突起１２が突設されている。この環状突起１２は、抑えプレート６の環状部６ａの内側に係入して、磁気ディスクメディア４の上方への移動を規制するように構成されている。
【００１１】
【特許文献１】特開２００１−３２５７８２号公報
【００１２】
【発明が解決しようとする課題】
ところで、上述したような構成を有する従来の磁気ディスクカートリッジにおいては、センターコア３とドライブスピンドルとの係合安定性を確保するため、図４に示すように、センターコア３の外径ａよりも下シェルハーフ２の開口部２ｃの内径ｃの方が大きくされて（ａ＜ｃ）、センターコア３と開口部２ｃとの間には、隙間ｄが設けられている。したがって、カートリッジ保管時に上記隙間ｄからケースＣの内部へ塵埃が侵入するという問題があった。
【００１３】
また、磁気ディスクメディア４が可撓性を有するため、カートリッジ保管保時にはセンターコア３が自重で吊り下げられた状態となり、下シェルハーフ２の内面に備えられているライナ５と直接接触して、振動、衝撃、熱による磁気ディスクメディア４上の傷およびディスクメディアとライナ５との貼付き等が発生する原因となる。これらは特に高密度記録になるほど大きな問題になる。
【００１４】
そこで従来は、ライナ５の材質、特性の改善等を実施して来たが、大きな効果が得られていない上に、コストアップ要因の一つになっていた。
【００１５】
上述の事情に鑑み、本発明は、保存時でも、ディスクメディアとライナとの接触が防止されるようにしたディスクカートリッジを提供することを目的とするものである。
【００１６】
【課題を解決するための手段】
本発明は、センターコアに固着保持されたディスクメディアを回転可能に収容し、上記センターコアを外部に臨ませるための開口部を有するケースの内面に固定された除塵用ライナを備えてなるディスクカートリッジにおいて、上記センターコアの大径部の外径が上記開口部の内径よりも大きく、かつ上記大径部の厚みが上記ライナの厚みよりも厚く設定されていることを特徴とするものである。
【００１７】
ここで、センターコアの大径部の外径が開口部の内径より大きいということは、センターコアの大径部が開口部からケースの外側に脱出しない程度に大きいことを意味するものであり、その一部分の外径が開口部より大きくても良い。
【００１８】
また、センターコアの大径部の厚みがライナの厚みよりも厚く設定されているということは、センターコアの大径部の上面にディスクメディアが固着保持され、
上記大径部の底面が、ライナを固定しているケースの内面に接触した状態において必要とされる条件である。
【００１９】
【発明の効果】
本発明のディスクカートリッジによれば、センターコアの大径部の外径がケースの開口部の内径よりも大きく設定されているため、カートリッジ保管時にはケースの開口部がセンターコアの大径部により閉塞され、ケース内への塵埃の侵入を防止することができる。また、センターコアの大径部の厚みがライナの厚みよりも大きく設定されているため、カートリッジ保管時にディスクメディアの記録面とライナとが接触しない状態を保つことができる。このため、輸送時におけるディスクメディアのダメージを軽減することができる。
【００２０】
さらに、ディスクメディアとライナが接触していない状態を保つことができるため、ライナの材質や特性等の仕様を緩和することが可能となり、コストを低減させることも可能となる。
【００２１】
【発明の実施の形態】
以下、図面を参照して本発明の実施の形態について詳細に説明する。
【００２２】
図１は本発明による磁気ディスクカートリッジを図４と対応させて示す概略的断面図である。なお、図１においては、図４と同一の部材には同一符号を付して、重複する説明は省略する。
【００２３】
この磁気ディスクカートリッジは、一例として、図４と同様のいわゆる３．５インチタイプのフロッピー（登録商標）ディスクカートリッジであり、例えばアクリロニトリル−ブタジエン−スチレン共重合体のような合成樹脂から形成された上シェルハーフ１および下シェルハーフ２とを接合して形成された扁平なケースＣと、このケースＣ内に回転自在に収容された円盤状の磁気ディスクメディア４と、この磁気ディスクメディア４の一表面、他表面にそれぞれ対面する状態にしてケースＣ内に配設された１対の除塵用ライナ−５，５とを備えてなるものである。
【００２４】
上記磁気ディスクメディア４は、フレキシブルなポリエステルシート等からなる円盤状のベースの両面に磁性体層が形成されたものであり、その中央部はセンターコア１３に固着保持されている。
【００２５】
センターコア１３は、図２に示すように、小径部１３ａと、この小径部１３ａの上部に一体に形成された大径部１３ｂとからなり、図１に示すように、大径部１３ｂの上面に磁気ディスクメディア４が固着されている。そして、大径部１３ｂの外径ｂは、開口部２ｃの内径ｃよりも大きく（ｂ＞ｃ）設定されていることにより、カートリッジ保管時には、大径部１３ｂの底面の周縁部が開口部２ｃの周縁部で保持されるように構成されている。すなわち、下シェルハーフ２の内面に設けられたライナ５は、大径部１３ｂに接触しないように、大径部１３ｂの外径ｂよりも大きい内径を有する中心孔を備えていることが必要である。
【００２６】
また、センターコア１３の大径部１３ｂの下部に段設された小径部１３ａの外径ａは，下シェルハーフ２の中央に形成された開口部２ｃから外部に臨み得るように、開口部２ｃの内径よりも小さく設定され（ａ＜ｃ）、したがって、小径部１３ａと開口部２ｃとの間には隙間ｄが設けられている。
【００２７】
さらに、センターコア１３の大径部１３ｂの厚みｔ１３が、下シェルハーフ２の内面に設けられたライナ５の厚みｔ５よりも厚く設定されており、このため、図１から明らかなように、センターコア１３の大径部１３ｂの底面の周縁部が開口部２ｃの周縁部で保持されたときに、大径部１３ｂの上面に固着保持されている磁気ディスクメディア４がライナ５より浮上し、ライナ５との接触を防止することができる。
【００２８】
ここで、センターコア１３の大径部１３ｂの外径ｂは、開口部２ｃの内径ｃよりも０．５〜２ｍｍ程度大きいことが望ましいが、カートリッジ挿入時のクリアランスを考慮すると、０．５〜１ｍｍ大きいことがさらに好ましい。また、ライナ５の厚みｔ５が０．１〜０．３ｍｍの範囲であるのに対し、センターコア１３の大径部１３ｂの厚みｔ１３は、０．５〜２ｍｍ程度が好ましい。
【００２９】
この場合、センターコア１３の大径部１３ｂの底面と下シェルハーフ２の内面とが常時接触することから、削れ粉が発生して記録再生に影響する虞があるが、その場合は、センターコア１３の大径部１３ｂの底面、すなわち下シェルハーフ２側に摺動性の高い部材、例えば高分子ＰＥを貼っても良い。また、下シェルハーフ２の内側におけるセンターコア１３の大径部１３ｂの底面と摺接する部分にも上記高分子ＰＥを貼っても良く、あるいはセンターコア１３と下シェルハーフ２の双方に貼っても良い。
【００３０】
以上の説明で明らかなように、本実施の形態によれば、センターコア１３の大径部１３ｂの外径ｂがケースＣの開口部２ｃの内径ｃより大きく、かつセンターコア１３の大径部１３ｂの厚みｔ１３がライナ５の厚みｔ５よりも大きく設定されているため、カートリッジ保管時にはケースＣの開口部２ｃがセンターコア１３の大径部１３ｂにより閉塞され、ケースＣ内への塵埃の侵入を防止するのみでなく、カートリッジ保管時に磁気ディスクメディア４の記録面とライナ５とが接触しない状態を保つことができるので、輸送時における磁気ディスクメディア４のダメージを軽減することができる。
【００３１】
また、磁気ディスクメディア４とライナ５とが接触していない状態を保つことができるので、ライナ５の材質や特性等の仕様を緩和することが可能となり、コストを低減させることも可能となる。
【００３２】
なお、以上説明した実施の形態は、いわゆる３．５インチタイプのフロッピー（登録商標）ディスクカートリッジに本発明を適用したものであるが、本発明はその種の磁気ディスクカートリッジに限らず、例えば、より小径の磁気ディスクメディアをケース内に収納してなる磁気ディスクカートリッジに対しても適用可能であり、さらに同じセンターコア高さであっても径が小さい分ディスクメディアの撓みが小さくなるので効果はより大きくなる。そのような小径の磁気ディスクメディアをケースに収納してなる磁気ディスクカートリッジとしては、例えば前述した特願２００２−１１７８３８号に示されているものが挙げられる。
【００３３】
また、本発明は磁気ディスクメディアを備えたディスクカートリッジに限らず、ＤＶＤ−ＲＡＭ等の光学ディスクを備えたディスクカートリッジにも適応可能である。
【図面の簡単な説明】
【図１】本発明による磁気ディスクカートリッジの保管時の状態を示す概略的断面図
【図２】図１の磁気ディスクカートリッジのセンターコアの大径部の厚みをライナーの厚みと比較して示す説明図
【図３】従来の磁気ディスクカートリッジの分解斜視図
【図４】従来の磁気ディスクカートリッジの保管時の状態を図１と対応させて示す概略的断面図
【符号の説明】
１　　上シェルハーフ
２　　下シェルハーフ
２ｃ　　開口部
３　　センターコア
４　　ディスクメディア
５　　除塵用ライナ
１３　　センターコア
１３ａ　　センターコアの小径部
１３ｂ　　センターコアの大径部
Ｃ　　ケース
【図１】
2004110928.tif 000003
【図２】
2004110928.tif 000004
【図３】
2004110928.tif 000005
【図４】
2004110928.tif 000006